(57)【特許請求の範囲】
【請求項１】
並列に集合した複数個の電池を第１の熱収縮性フィルムで固定および保持した複数個の単位包装体を、第２の熱収縮性フィルムで並列に固定および保持した包装体であって、
前記第２の熱収縮性フィルムの、前記単位包装体同士の境目の端部に対応する部分に、少なくとも１つの孔を有し、
前記第１の熱収縮性フィルムの融点が、前記第２の熱収縮性フィルムの融点よりも高いことを特徴とする電池の包装体。
【請求項２】
前記孔が、前記包装体の両側面において、前記境目の両端部に設けられていることを特徴とする請求項１記載の電池の包装体。
【発明の詳細な説明】
【０００１】
【発明の属する技術分野】
本発明は、電池、特に円筒形の電池を複数個収納してなる単位包装体を、複数個含む電池の包装体に関する。
【０００２】
【従来の技術】
従来から、コンパクト性、視認性および携帯性などの観点から、熱収縮性フィルムで複数個の物品を包装するいわゆるシュリンク包装が様々な分野で利用されている。そして、電池、特に円筒形電池の分野においてもこのようなシュリンク包装が重用されており、複数個の電池をシュリンク包装して得られる包装体が多数市場に流通している。
また、昨今においては、この包装体に収納される電池の個数を増加させることが望まれているが、１つの包装体に多数の電池を収納すると、その包装を破いた時に全ての電池がバラバラになってしまうことになり、使用者にとって不都合である。
【０００３】
これに対し、複数個の電池を収納する包装体を単位包装体とし、この単位包装体を複数個並べてさらに第２の熱収縮性フィルム（外装用フィルム）で包装する方法、いわゆるダブルシュリンク包装が採用されている。例えば、４個の電池を収納する単位包装体を、３個並列に並べて第２の熱収縮性フィルムで包装した包装体がある。
しかし、複数個の単位包装体の総重量はかなり重いため、これらを固定および保持する第２の熱収縮性フィルムには、高い強度が必要とされる。そのため、複数個の単位包装体を含む包装体を開封するためには、比較的強い力が必要であり、開封しにくいという問題がある。
【０００４】
【発明が解決しようとする課題】
そこで、本発明は、上述のいわゆるダブルシュリンク包装を用いた包装体（ダブルシュリンク包装体）において、単位包装体の固定および保持した状態を確実かつ安定に保ちつつ、外装用フィルムを容易に破断して単位包装体を取り出すことのできる包装体を提供することを目的とする。
【０００５】
【課題を解決するための手段】
上述の課題を達成すべく、本発明は、並列に集合した複数個の電池を第１の熱収縮性フィルムで並列に固定および保持した複数個の単位包装体を、第２の熱収縮性フィルムで固定および保持した包装体であって、前記第２の熱収縮性フィルムの、前記単位包装体同士の境目の端部に対応する部分に、少なくとも１つの孔を有し、前記第１の熱収縮性フィルムの融点が、前記第２の熱収縮性フィルムの融点よりも高いことを特徴とする電池の包装体を提供する。
また、前記孔が、前記包装体の両側面において、前記境目の両端部に設けられているのが有効である。
また、前記孔の直径が、０．５〜１．５ｍｍであるのが有効である。
【０００６】
【発明の実施の形態】
本発明者らは、いわゆるダブルシュリンク包装体について鋭意検討を行った結果、上述のような構成を採ることにより、従来からの問題点を解決することを見出した。
すなわち、本発明によれば、並列に集合した複数個の電池を第１の熱収縮性フィルムで固定および保持した複数個の単位包装体を、第２の熱収縮性フィルムで並列に固定および保持した包装体において、第２の熱収縮性フィルムの、前記単位包装体同士の境目の端部に対応する部分に、少なくとも１つの孔を有する。
この孔が存在することによって、包装体を折り曲げたりひねったりすれば、その孔が起点となって第２の熱収縮性フィルムが裂け易くなる。そして、本発明の包装体を開封し易いという効果を奏するのである。
【０００７】
特に、前記境目の端部に孔を設けることとしたのは、包装体をひねって開封する場合に、孔に対して前記境目に沿う線方向のせん断力がかかり易く、第２の熱収縮フィルムが裂け易くなるためである。
また、包装体を単に折り曲げた場合においても、第２の熱収縮性フィルムが、前記境目の端部付近で湾曲しているため、やはり孔に対して前記境目に沿う線方向のせん断力がかかり易く、第２の熱収縮フィルムが裂け易くなるためである。したがって、孔を設ける端部の詳細な位置は、包装体に収納される電池の寸法に応じて決定することになる。
【０００８】
以下に、図面を参照しながら本発明に係る包装体について説明する。
図１は、単位包装体の概略斜視図である。図１に示す単位包装体１は、４個の円筒形電池２を並列に並べて第１の熱収縮性フィルム３で覆い、加熱によって収縮させることによって包装して得られるものである。このとき、単位包装体を包む第１の熱収縮性フィルムには、従来どおり、電池１個ごとにミシン目を設けてもよい。
次に、複数の単位包装体を含む包装体の概略斜視図を図２および３に示す。図２に示すように、並列に並べた２個の単位包装体１を、第２の熱収縮性フィルム４で覆い、加熱によって収縮させることによって包装する。なお、図２においては、明瞭性のために、単位包装体１を構成する第１の熱収縮性フィルムは省略した。
【０００９】
図３は、本発明に係る包装体の概略斜視図を示す。図３に示す本発明に係る包装体５は、２つの単位包装体１の間の境目の端部に１つの孔６を有する。
包装体５はこの孔６を具備することにより、図４に示すように、包装体５を例えば単位包装体同士の間の境目の部分で軽く折り曲げると、この孔６を起点として第２の熱収縮性フィルム４が裂けはじめる。そして、包装体５を容易に開封して単位包装体１を取り出すことができる。
図４は、本発明に係る包装体５を開封する方法を説明するための概略斜視図である。図４に示すように、包装体５を、単位包装体１の境目８で折り曲げると、孔６の部分から第２の熱収縮性フィルムが裂け始める。
【００１０】
図３に示す包装体５においては、孔６を包装体５の一方の面のみに設けた。図４に示すように、包装体５を折り曲げた際に、山部を形成する方の面のみに孔６を設ければよいが、逆の面に設けてもよい。
また、図３に示す包装体５においては、２つの単位包装体１の間の境目の一方の端部（上側の端部）のみに設けた。しかし、より容易な開封を可能とするためには、下側の端部にも孔を設けてもよい。
【００１１】
なお、図５に示すように、包装体５の側面においては、第２の熱収縮性フィルムの外装面の、孔が設けられていない側の面に、表示ラベル７を貼りつけてもよい。このような構成にすると、包装体５を折り曲げたりひねったときに、表示ラベル７がカットテープとしての役割を果たし、開封がより容易になるという効果がある。
本発明の単位包装体に含まれる円筒形電池の数、および包装体に含まれる単位包装体の数は特に制限されることはないが、電池の寸法および重さなどに応じて、本発明の効果を損なわない範囲で適宜選択することができる。
【００１２】
図６は、本発明に係る他の包装体の概略斜視図であり、単位包装体１を３つ含むものである。また、それぞれの単位包装体１の境目においては、上端部および下端部の両方に２つの孔６が設けられている。
図７は、図６に示す包装体を開封する方法を説明するための概略斜視図である。図６に示すように、境目８の上端部および下端部に２つずつ孔６を設けると、図７に示すように境目８で包装体５を折り曲げると、孔６の部分で第２の熱収縮性フィルムが効率よく裂け始め、開封を容易にする。
【００１３】
ここで、本発明における孔は、スリット状および円形状などの種々の形状をとり得るが、複数個の単位包装体の確実な固定および保持という観点から、点として円形状の孔を形成するのが好ましい。少なくとも点としての孔を設ければ、第２の熱収縮性フィルムが裂ける起点とすることができる。
具体的には、第２の熱収縮性フィルムの所定の位置に、針を突き刺すことによって、孔を設けるのが好ましい。針の直径としては、特に制限はないが、０．５〜１．５ｍｍ程度であればよい。
【００１４】
つぎに、孔を設ける所定の位置、すなわち第２の熱収縮性フィルムの、前記単位包装体同士の境目の端部に対応する部分について説明する。
この所定の位置は、本発明に係る包装体に含まれる単位包装体の形状、寸法および個数など、ならびに単位包装体に含まれる電池の形状、寸法および個数などのファクタによって異なる。したがって、複数個の単位包装体を安定して固定および保持するという本発明の効果を損なわない範囲で、当業者であれば、上記ファクタを考慮してかかる所定の位置を決定することができる。
【００１５】
さらに、本発明の包装体を得るためには、第１の熱収縮性フィルムと第２の熱収縮性フィルムの性能を適宜選択する必要がある。
まず、第１の熱収縮性フィルムを用いて単位包装体を得た後に、第２の熱収縮性フィルムを加熱によって収縮させるため、この第２の熱収縮性フィルムを加熱する際に、第１の熱収縮性フィルムが変形してしまうのは好ましくない。したがって、第１の熱収縮性フィルムの融点は、第２の熱収縮性フィルムの融点よりも高いことが好ましい。
また、複数個の単位包装体の総重量がかなり大きくなることから、第２の熱収縮性フィルムにかかる荷重は、第１の熱収縮性フィルムにかかる荷重よりも大きい。したがって、第２の熱収縮フィルムは、第１の熱収縮性フィルムよりも、高い強度および大きな破断伸びを有しているのが好ましい。
【００１６】
第１および第２の熱収縮性フィルムの具体的な種類については、上記性能を満たしており、本発明の効果および電池の包装体本来の効果を損なわない範囲で、当業者であれば適宜選択することができる。
例えば、第１の熱収縮性フィルムとしては、ポリエチレンテレフタレート（ＰＥＴ）製フィルム（融点：約２５０℃）があげられる。この場合は、厚さが２０〜３５μｍ、引張破断強度が８０００〜１００００ＰＳＩ（５５〜６９Ｎ／ｍｍ2）、引張破断伸度が６０〜１６０％であるのが好ましい。
また、第２の熱収縮性フィルムとしては、ポリプロピレン（ＰＰ）／ポリエチレン（ＰＥ）／ポリプロピレン（ＰＰ）の３層熱収縮フィルム（ＰＰの融点：約１６５℃）があげられる。厚さは、１３〜３０μｍ、引張破断強度は１１０００〜２００００ＰＳＩ（７６〜１３８Ｎ／ｍｍ2）、引張破断伸度は６０〜１６０％であるのが好ましい。
以下に、実施例を用いて本発明をより具体的に説明するが、本発明はこれらのみに限定されるものではない。
【００１７】
【実施例】
《実施例１》
まず、４個の単３形アルカリ乾電池（ＬＲ６）を並列に並べ、ポリエチレンテレフタレート（ＰＥＴ）からなる第１の熱収縮性フィルム（厚さ：３０μｍ、引張破断強度：９，０００ＰＳＩ（６２Ｎ／ｍｍ2）、引張破断伸度：約９０％）で覆い、加熱によって収縮、固定および保持させて、図１に示す構造の単位包装体を作製した。なお、熱融着部分は、各電池の下端部のみに位置するようにした。
つぎに、第２の熱収縮性フィルムであるポリプロピレン（ＰＰ）／ポリエチレン（ＰＥ）／ポリプロピレン（ＰＰ）の３層熱収縮フィルム（厚さ：１９μｍ、引張破断強度：１３０００ＰＳＩ（９０Ｎ／ｍｍ2）、引張破断伸度：約１３０％）で、並列に並べた３個の単位包装体を覆い、並列に並べ、加熱によって収縮、固定および保持させて、図６に示す構造の包装体を作製した。なお、各単位包装体の下端部および両側の単位包装体の横端部の３つの部分に融着部分が位置するようにした（いわゆるピロー包装）。
【００１８】
さらに、図６に示すように、単位包装体間の２つの境目のそれぞれにおいて、電池の上端および下端から約６ｍｍの位置に、直径０．９７ｍｍの針を突き刺して孔を４つずつ設け、本発明に係る包装体を作製した。
このようにして作製した本発明に係る包装体を、図４を用いて上述した開封方法と同様にして、図７に示すように折り曲げたところ、孔の部分で第２の熱収縮性フィルムが裂けはじめ、容易に包装体を開封することができた。
【００１９】
【発明の効果】
本発明によれば、いわゆるダブルシュリンク包装体において、単位包装体の固定および保持した状態を確実かつ安定に保ちつつ、外装用フィルムを容易に破断して単位包装体を取り出すことのできる包装体を提供することができる。
【図面の簡単な説明】
【図１】本発明における単位包装体の概略斜視図である。
【図２】複数の単位包装体を含む包装体の概略斜視図である。
【図３】本発明に係る包装体の概略斜視図である。
【図４】図３に示す本発明の包装体を開封する方法を説明するための概略斜視図である。
【図５】本発明に係る他の包装体の概略斜視図である。
【図６】本発明に係るさらに別の包装体の概略斜視図である。
【図７】図６に示す本発明の包装体を開封する方法を説明するための概略斜視図である。
【符号の説明】
１  単位包装体
２  円筒形電池
３  第１の熱収縮性フィルム
４  第２の熱収縮性フィルム
５  包装体
６  孔
７  表示ラベル
８  境目
【図１】
0004007758.tif 000002
【図２】
0004007758.tif 000003
【図３】
0004007758.tif 000004
【図４】
0004007758.tif 000005
【図５】
0004007758.tif 000006
【図６】
0004007758.tif 000007
【図７】
0004007758.tif 000008